(57)【要約】【課題】建物の開口部Ｏを開閉するインセット納まりの揺動型ドア装置をアウトセット納まりの構造にリフォームする際に、新規ドア８を支持する丁番１０，１４を安定して取り付けるとともに、丁番１０，１４の取付位置の制限も不要にする。【解決手段】既存ドアに代わる新規ドア８は、開口部Ｏの前側に配置されかつ吊元端部が開口部Ｏ周縁部に上下１対の丁番１０，１４を介して揺動可能に支持されていて、閉じ状態では開口部Ｏ全体を該開口部Ｏの前側から覆うように閉じるものとされる。丁番１０，１４は、開口部Ｏ近傍の柱１に対し、開口部Ｏの前側から柱１に到達する長さのビスＶにより取り付けられている。【選択図】図２
2016003543.tif 000002
【特許請求の範囲】
【請求項１】
建物の開口部を、該開口部周縁の既存ドア枠又は開口部周縁の端部に支持されている既存ドアに代わる新規ドアにより開閉するようにした揺動型ドア装置であって、
上記新規ドアは、開口部の前側に配置されかつ吊元端部が上記開口部周縁部に丁番を介して揺動可能に支持されていて、閉じ状態では開口部全体を該開口部の前側から覆うように閉じるものとされ、
上記丁番は、開口部近傍の構造軸材に対し、開口部周縁部の前側壁から構造軸材に到達する長さのビスにより取り付けられていることを特徴とする揺動型ドア装置。
【請求項２】
請求項１において、
開口部の戸先側周縁部の構造軸材、既存ドア枠又は開口部周縁の端部の前側に縦枠が取り付けられ、該縦枠に、新規ドアの戸先側のラッチに係合するラッチ受けが設けられていることを特徴とする揺動型ドア装置。
【請求項３】
請求項１又は２において、
既存ドア枠又は開口部周縁の端部がカバーで覆われていることを特徴とする揺動型ドア装置。
【請求項４】
請求項１〜３のいずれか１つにおいて、
新規ドアの閉じ状態で該新規ドアと既存ドア枠又は開口部周縁の端部との間の隙間を閉塞する隙間埋め部材が設けられていることを特徴とする揺動型ドア装置。
【請求項５】
請求項１〜４のいずれか１つにおいて、
新規ドアの戸先端部には、新規ドアの前後面のいずれか一方に突出するボックス部を有するラッチ機構が設けられ、
上記ラッチ機構は、上記ボックス部の突出部分の左側面に対し出没するラッチを有することを特徴とする揺動型ドア装置。
【発明の詳細な説明】
【技術分野】
【０００１】
本発明は、建物の開口部を開閉する揺動型ドア装置に関し、特に、建物の開口部周縁の既存ドア枠に支持されている既存ドアを新規ドアに取り換えて開閉するようにしたものに関する。
【背景技術】
【０００２】
一般に、建物の開口部を開閉する揺動型のドア装置は、吊元端部（戸尻端部）がドア枠に上下の丁番によって揺動可能に支持されたドアを備え、このドアの揺動によって開口部を開閉するようになっている。また、ドアの戸先端部には操作ハンドルによって出没するラッチが、またドア枠の縦枠にはラッチを受けるラッチ受けがそれぞれ設けられていて、両者の係合によりドアを閉じ状態に保持するようにしている。
【０００３】
このドア装置は、通常、ドア枠及びドアが開口部両側の柱（構造軸材）の間に位置するインセット納まりであり、ドア枠やドアの大きさは開口部の幅や高さに応じて決定される。そのため、このドア装置をリフォームするときには、既存の開口部に合わせた大きさのドア枠と扉を予め用意し、ドア枠等の交換のために開口部周囲の壁の工事が必要となり、大掛かりな工事となる。
【０００４】
一方、このようなインセット納まりのドア装置とは異なり、アウトセット納まりと呼ばれるドア装置が知られている。このアウトセット納まりのドア装置は、例えは特許文献１に示されるように、ドア枠及びドアが開口部の一側に配置され、そのドアの吊元端部がドア枠の一側面に丁番を介して揺動可能に支持されており、ドアの閉じ状態では開口部全体を一側から覆うように閉じるものである。
【先行技術文献】
【特許文献】
【０００５】
【特許文献１】実開平６−６２１８１号公報
【発明の概要】
【発明が解決しようとする課題】
【０００６】
そこで、上記インセット納まりのドア装置をリフォームするときに、特許文献１に示されるように、既存のドアに変わる新しいドアを開口部の一側に配置してアウトセット納まりの構造に変更すれば、ドア枠やドアの開口部に対する制約がなくなり、壁の工事等の大掛かりな工事が不要となるので都合が良い。
【０００７】
ところが、その場合、上記特許文献１のもののように、新しいドアを支持する丁番をドア枠の一側面に取り付けようとしても、例えば、そのドア枠がＭＤＦで形成されていたり、面取りや切り欠き等があったり、或いは木口にモールが形成されていたりすると、丁番を安定して取り付けることが難しくなり、丁番の取付位置も制限されるという問題が生じる。
【０００８】
本発明は斯かる点に鑑みてなされたもので、その目的は、インセット納まりのドア装置をアウトセット納まりの構造にリフォームする際に、ドアを支持する丁番の取付構造に改良を加えることにより、丁番を安定して取り付けるとともに、丁番の取付位置の制限も不要にしようとすることにある。
【課題を解決するための手段】
【０００９】
上記の目的を達成するために、この発明では、新しいドアの丁番を既存のドア枠に取り付けるのではなく、開口部周縁の柱等の構造軸材に取付固定するようにした。
【００１０】
具体的には、第１の発明は、建物の開口部を、該開口部周縁の既存ドア枠又は開口部周縁の端部に支持されている既存ドアに代わる新規ドアにより開閉するようにした揺動型ドア装置であって、上記新規ドアは、開口部の前側に配置されかつ吊元端部（戸尻端部）が上記開口部周縁部に丁番を介して揺動可能に支持されていて、閉じ状態では開口部全体を該開口部の前側から覆うように閉じるものとされ、上記丁番は、開口部近傍の柱等の構造軸材に対し、開口部周縁部の前側壁から構造軸材に到達する長さのビスにより取り付けられていることを特徴とする。
【００１１】
この第１の発明では、新規ドアは開口部の前側に配置されており、その吊元端部が建物の開口部周縁部に丁番を介して揺動可能に支持され、閉じ状態では新規ドアが開口部全体をその前側から覆うように閉じるアウトセット納まりであるので、新規ドアは開口部の幅や高さよりも大きくしさえすれば、それらの制約を受けることがない。
【００１２】
しかも、新規ドアは開口部の前側から開口部全体を覆うように閉じるので、既存のドアを取り除いて、新規ドアを取り付けるだけで新たなドア装置が得られることとなり、開口部周囲の壁の工事等の大掛かりな工事が不要となり、建物の躯体の下地工事を要することなくドア装置を施工することができ、リフォームの工期が短くなり、その費用も少なくて済む。
【００１３】
また、新規ドアが閉じ状態では開口部全体をその前側から覆うので、前側から見て新規ドアが開口部周縁の壁等から浮き出るようになり、新規ドアにより既存ドア枠又は開口部周縁の端部が隠蔽されてすっきりした美麗な納まりが得られる。
【００１４】
また、新規ドアの吊元端部を支持する丁番が開口部周縁の構造軸材に届くビスにより取付固定されているので、丁番が既存ドア枠に影響されることなく安定して構造軸材に取り付けられ、新規ドアの支持構造が強固となり、そのドアの安定した開閉動作を長期間に亘って維持することができ、その信頼性を高めることができる。しかも、丁番は構造軸材に取付固定されればよいので、丁番はビスで固定される構造軸材の幅で取付位置が調整可能であるだけでなく、安定して取付可能である。
【００１５】
第２の発明は、第１の発明において、開口部の戸先側周縁部の壁を通じて構造軸材、既存ドア枠又は開口部周縁の端部の前側に縦枠が取り付けられ、その縦枠に、新規ドアの戸先側のラッチに係合するラッチ受けが設けられていることを特徴とする。
【００１６】
この第２の発明では、開口部の戸先側周縁部の構造軸材、既存ドア枠又は開口部周縁の端部の前側に縦枠が取り付けられ、その縦枠にラッチ受けが設けられているので、ドアを閉じ状態に保持するためのラッチ受けを調整可能に容易に設けることができる。ラッチ受けに関しては、取付強度が求められるものではないため、吊元側丁番の取付位置に合わせ任意位置に取り付ければよい。既存ドア枠の前側端面に取り付けられてもよいし、開口周縁部の前側壁面に取り付けられてもよい。
【００１７】
また、ドアの寸法により、ビス固定位置が例えば既存ドア枠の端部になる等、好ましくない位置になる場合は、吊元側丁番の取付位置を開口部周縁部において構造軸材のビス固定に支障のない幅において移動させたり、好ましい扉幅を選択することにより、ラッチ受けの取付位置を調整すればよい。
【００１８】
ラッチ受けとなる部材は、取付強度が求められるものではないが、好ましくは開口部周縁部の構造軸材に前側壁部から構造軸材に至る長さのビス等により取り付けられるのが好ましい。
【００１９】
第３の発明は、第１又は第２の発明において、既存ドア枠又は開口部周縁の端部がカバーで覆われていることを特徴とする。
【００２０】
この第３の発明では、既存ドア枠又は開口部周縁の端部がカバーで覆われているので、その既存ドア枠や開口部周縁の端部にキズや汚れ等があっても、それらはカバーにより隠蔽され、リフォームによって美麗な外観のドア装置を得ることができる。
【００２１】
また、カバーとラッチ受けを一体化することにより、取付け固定の省施工化を図ることも可能になる。
【００２２】
第４の発明は、第１〜第３の発明のいずれか１つにおいて、新規ドアの閉じ状態で該新規ドアと既存ドア枠又は開口部周縁の端部との間の隙間を閉塞する隙間埋め部材が設けられていることを特徴とする。
【００２３】
この第４の発明では、閉じ状態にある新規ドアと既存ドア枠又は開口部周縁の端部との間の隙間が隙間埋め部材によって閉塞されるので、新規ドアを閉じたときに隙間が生じずに遮音性、密閉感や外観見映えを高めることができる。
【００２４】
第５の発明は、第１〜第４のいずれか１つにおいて、新規ドアの戸先端部には、新規ドアの前後面のいずれか一方に突出するボックス部を有するラッチ機構が設けられ、このラッチ機構は、上記ボックス部の突出部分の左側面に対し出没するラッチを有することを特徴とする。
【００２５】
この第５の発明では、ラッチが新規ドアの戸先側木口面においてではなく、その前後面のいずれか一方に突出するボックス部において出没するように設けられているので、そのラッチ機構のボックス部やラッチを新規ドアの外に配置した分だけ新規ドアの厚さを薄くすることができる。
【００２６】
尚、上記いずれの発明の場合においても、既存ドア枠を残したまま本発明のドア装置を取り付けてもよいし、第３の発明のとおり既存ドア枠の上にカバー材を取り付けてからドア装置を取り付けてもよい。また、既存ドア枠を取り外し、ドア枠の取り付いていた位置の開口部の周縁部を穴埋め、美化補修した後にクロス、カバー材等を取り付けてからドア装置を取り付けてもよい。
【発明の効果】
【００２７】
以上説明したように、本発明によると、建物の開口部を開閉する揺動型ドア装置をリフォームして既存ドアを新規ドアに取り換える場合に、新規ドアは、開口部の前側に配置されかつ吊元端部が開口部周縁部に丁番を介して揺動可能に支持されていて、閉じ状態では開口部全体を該開口部の前側から覆うように閉じるものとし、丁番は開口部近傍の柱等の構造軸材に、開口部周辺部の前側壁から構造軸材に到達する長さのビスにより取り付けるようにしたことにより、開口部周囲の壁の工事等の大掛かりな工事を不要としてリフォーム工期の短縮化や費用の低減を図ることができるとともに、丁番の構造軸材への取付固定により丁番を安定して取り付けて新規ドアの支持構造を強固とし、ドアの安定した開閉動作を長期間に亘って維持して、その信頼性の向上を図ることができ、さらには丁番の取付位置の制限の不要化を図ることができる。
【図面の簡単な説明】
【００２８】
【図１】図１は、本発明の実施形態１に係る揺動型ドア装置の新規ドアを前側から見た正面図である。
【図２】図２は揺動型ドア装置を概略的に示す水平断面図である。
【図３】図３は上部丁番を示し、図３（ａ）は平面図、図３（ｂ）は正面図である。
【図４】図４は下部丁番を示し、図４（ａ）は平面図、図４（ｂ）は正面図である。
【図５】図５は実施形態２を示す図２相当図である。
【図６】図６は実施形態３を示す図２相当図である。
【図７】図７は実施形態４を示す図２相当図である。
【図８】図８は実施形態５を示す図２相当図である。
【発明を実施するための形態】
【００２９】
以下、本発明の実施形態を図面に基づいて詳細に説明する。以下の実施形態の説明は、本質的に例示に過ぎず、本発明、その適用物或いはその用途を制限することを意図するものでは全くない。
【００３０】
（実施形態１）
図２は本発明の実施形態１に係る揺動型ドア装置Ａを示し、１，１は建物の内部において前側空間Ｓ１（例えばリビングルーム）と後側空間Ｓ２（例えば廊下）との間に立設された構造軸材としての２本の柱であり、これらの柱１，１間には両空間Ｓ１，Ｓ２を往来するための開口部Ｏが形成されている。この開口部Ｏの周りは壁部が設けられ、この壁部は、柱１を挟んで前側空間Ｓ１及び後側空間Ｓ２に面するように前後に配置された壁材としての前後のプラスター（石膏）ボード２，２を備え、このプラスターボード２，２の周縁部のうち左右端部は柱１の前面及び後面にそれぞれビス止めされている。
【００３１】
開口部Ｏの周縁には既存ドア枠５が取付固定されている。この既存ドア枠５は、前側空間Ｓ１から見て左右の縦枠５ａ，５ａと、両縦枠５ａ，５ａの上端部間に架け渡されて連結固定された左右水平方向に延びる横枠（図示せず）とを有し、左縦枠５ａは左柱１において右柱１に対向する内面に、また右縦枠５ａは右柱１において左柱１に対向する内面に、さらに横枠は柱１，１間に架設したまぐさ（図示せず）の下面にそれぞれ固定されている。この既存ドア枠５は、その前後幅が開口部Ｏ周りの壁部の厚さ（柱１の前後幅に前後のプラスターボード２，２の厚さを加えた寸法）よりも大きく、幅方向の両端部である前後端部が壁部（プラスターボード２）の表面から突出している。
【００３２】
上記揺動型ドア装置Ａの施工前には、上記既存ドア枠５に既存ドア（図示せず）が開口部Ｏに沿う平面上に位置するようにインセット納まりで揺動可能に支持されていたが、この実施形態では、既存ドアが新規ドア８に取り換えられてリフォームされる。すなわち、揺動型ドア装置Ａは、開口部Ｏを、開口部Ｏ周縁の既存ドア枠５に支持されている既存ドアに代わる新規ドア８により開閉するようにしたものである。
【００３３】
図１にも示すように、上記新規ドア８は上記既存ドア枠５よりも大きいドア材からなり、その左右幅は既存ドア枠５の左右縦枠５ａ，５ａ間の幅よりも大きく、高さは横枠よりも高いものとされている。この既存ドア枠５よりも大きい新規ドア８は開口部Ｏ前側の前側空間Ｓ１に、開口部Ｏの前後中央から距離Ｄだけずれて配置され、その右端部である吊元端部（戸尻端部）は開口部Ｏ周縁部の右側部に上下１対の丁番１０，１４を介して揺動可能に支持されており、新規ドア８が開口部Ｏを閉じた閉じ状態では、開口部Ｏ全体を開口部Ｏ前側（前側空間Ｓ１側）から覆うように閉じる構造となっている。
【００３４】
上記上下の丁番１０，１４はいずれもピボット丁番からなる。図３に示すように、上部丁番１０は固定部材１１と回動部材１２とを備えている。固定部材１１はＬ字状に折り曲げられた板材状のもので、上下方向に延びる板状の取付部１１ａと、この取付部１１ａの上端から水平方向に延びる板状の支持部１１ｂとからなる。一方、回動部材１２は、固定部材１１の支持部１１ｂに上端が回動不能に固定された上下方向に延びる軸部１２ａと、この軸部１２ａに回動可能に外嵌合状態で支持された軸受部１２ｂと、この軸受部１２ｂの上端に回転一体に連結固定された水平方向に延びる板状の取付部１２ｃとからなる。そして、固定部材１１の取付部１１ａを後述するようにプラスターボード２を介して右柱１上部寄りにビス止めして固定し、一方、回動部材１２の取付部１２ｃを新規ドア８上面の吊元端部（右端部）に、その吊元端部上面に凹陥形成した穴状の上側凹部８ａ（図１参照）に軸受部１２ｂを嵌入した状態でビス止め固定することで、新規ドア８の吊元端部の上側部を開口部Ｏ周縁部の右側部に上部丁番１０を介して揺動可能に支持するようにしている。
【００３５】
これに対し、図４に示すように、下部丁番１４は上部丁番１０と同様の構造のもので、固定部材１５と回動部材１６とを備えている。固定部材１５はＬ字状に折り曲げられた板材状のもので、上下方向に延びる板状の取付部１５ａと、この取付部１５ａの下端から水平方向に延びる板状の支持部１５ｂとからなる。一方、回動部材１６は、固定部材１５の支持部１５ｂに下端が回動不能に固定された上下方向に延びる軸部１６ａと、この軸部１６ａに回動可能に外嵌合状態で支持された軸受部１６ｂと、この軸受部１６ｂの下端に回転一体に連結固定された水平方向に延びる板状の取付部１６ｃとからなる。そして、固定部材１５の取付部１５ａを後述するようにプラスターボード２を介して右柱１の下部にビス止めして固定し、一方、回動部材１６の取付部１６ｃを新規ドア８下面の吊元端部（右端部）に、その吊元端部下面に凹陥形成した穴状の下側凹部８ｂ（図１参照）に軸受部１６ｂを嵌入した状態でビス止め固定することで、新規ドア８の吊元端部の下側部を開口部Ｏ周縁部の右側部に下部丁番１４を介して揺動可能に支持するようにしている。尚、図３及び図４中、１７は固定部材１１，１５の取付部１１ａ，１５ａ及び回動部材１２，１６の取付部１２ｃ，１６ｃに形成されたビス挿通孔である。
【００３６】
そして、本発明の特徴として、図２に示すように、上記上部丁番１０及び下部丁番の各々における固定部材１１，１５は、その取付部１１ａ，１５ａにおいて、開口部Ｏ近傍で既存ドア枠５の右縦枠５ａよりも外側（右側）に位置する右柱１（構造軸材）に対し、開口部Ｏの前側である前側空間Ｓ１から、各ビス挿通孔１７に挿通されプラスターボード２を貫通して右柱１に到達する長さの複数のビスＶ，Ｖ，…（ねじ釘）により取り付けられている。尚、このビスＶは、説明の都合のために簡略的に示しており、以下の各実施形態での説明も同様である。また、図２中、１８は開口部Ｏ近傍の右柱１（構造軸材）前側において上下の丁番１０，１４間に配置される縦枠で、プラスターボード２を介して右柱１に固定されている。
【００３７】
一方、新規ドア８の戸先端部側の内部にはその上下の略中央部にラッチ機構（全体は図示せず）が取り付けられている。このラッチ機構は公知構造のものであり、新規ドア８の前後面に突出するボックス部１９と、このボックス部１９に揺動可能に支持され、新規ドア８を前後方向に貫通する操作軸２０とを有し、この操作軸２０の前後両端部にはそれぞれ操作ハンドル２１，２１が回動一体に取付固定されている。また、ラッチ機構は、後側に突出するボックス部１９の左側面に対し出没可能に支持されかつ操作軸２０に連動機構（図示せず）を介して駆動連結されたラッチ２３を有し、このラッチ２３の先端部の後側（後側空間Ｓ２側）には、左方向に向かうに従って前側（前側空間Ｓ１側）に向かうように傾斜する傾斜面２３ａが形成されている。ラッチ２３は、ボックス１９内のバネ等により突出方向に付勢されて常時は戸先端部の木口面から突出しており、操作ハンドル２１を回し操作して操作軸２０を回動させたとき、又はラッチ２３が没入方向に押されたときに、ラッチ２３が突出付勢力に抗してボックス１９内に没入するようになっている。
【００３８】
また、上記既存ドア枠５において戸先側の左縦枠５ａの前面には戸当たり用縦枠２５がビス（図示せず）により固定されている。このビスは、戸当たり用縦枠２５及び既存ドア枠５の左縦枠５ａの各前端部を貫通して左柱１に届くように後側に向かって左側に向かうように斜めに止めることが好ましい。
【００３９】
戸当たり用縦枠２５の右側面には、その上下の略中央部に、上記新規ドア８の戸先側のラッチ２３に係合可能な凹陥部からなるラッチ受け２６が形成されている。そして、新規ドア８が開き状態から上下の丁番１０，１４回りに図２で時計回り方向に回動して閉じたときに、新規ドア８の戸先側のラッチ２３における傾斜面２３ａがラッチ受け２６前側の側壁部に押されてラッチ２３が突出付勢力に抗してドア８内に没入し、そのラッチ２３がラッチ受け２６前側の側壁部を超えた後に突出付勢力により突出してラッチ受け２６内に嵌入し該ラッチ受け２６と係合することで、新規ドア８はその戸先端部の後面が戸当たり用縦枠２５の前面に当接して閉じ状態にロック保持される一方、操作ハンドル２１を操作してラッチ２３を没入させることで、ラッチ２３とラッチ受け２６との係合が解除されて、ドア８を前側に移動させて開き操作し得るようになっている。
【００４０】
したがって、上記実施形態では、建物の開口部Ｏに施工されている既存のドア装置を新規のドア装置Ａに交換してリフォームする場合、既存のドア装置の既存ドア枠５はそのまま残してドアのみをその丁番ごと取り外し、その後に新規のドア装置Ａを施工すればよい。具体的には、新規ドア８の吊元端部にピボット丁番からなる上下丁番１０，１４の回動部材１２，１６を取り付け、それら上下丁番１０，１４の固定部材１１，１５を開口部Ｏ周りの吊元側部に位置する右柱１に対しプラスターボード２上からビスＶにより固定することで、新規ドア８を丁番１０，１４によって揺動可能に支持する。一方、既存ドア枠５の左縦枠５ａ前面に戸当たり用縦枠２５を取付固定し、その縦枠２５に、新規ドア８に内蔵されているラッチ機構のラッチ２３が係合可能なラッチ受け２６を形成すればよい。
【００４１】
そのとき、新規ドア８は開口部Ｏの前側に配置されたアウトセット納まりであり、その吊元端部（右端部）が建物の開口部Ｏ周縁部に上下の丁番１０，１４を介して揺動可能に支持され、閉じ状態では新規ドア８が開口部Ｏ全体をその前側から覆うように閉じる。このため、新規ドア８は開口部Ｏの幅や高さよりも大きくしさえすれば、それらの制約を受けることがない。しかも、新規ドア８は開口部Ｏの前側から開口部Ｏ全体を覆うように閉じるので、既存のドアを取り除いて、新規ドア８を取り付けるだけで新たなドア装置Ａにリフォームされることとなり、既存ドア枠５等の交換は不要で、その交換のために開口部Ｏ周囲の壁の工事等の大掛かりな工事をしなくて済む。すなわち、建物の躯体の下地工事を要することなく既存ドア枠５を活かしてドア装置Ａを施工することができるので、リフォームの工期が短くなり、その費用も少なくなる。
【００４２】
また、新規ドア８は閉じ状態で開口部Ｏ全体をその前側から覆うので、前側から見て新規ドア８が開口部Ｏ周縁の壁部等から浮き出るように見えるようになり、新規ドア８により既存ドア枠５が隠蔽されてすっきりした美麗な納まりが得られる。
【００４３】
また、新規ドア８の吊元端部を支持する上下丁番１０，１４の固定部材１１，１５が開口部Ｏ周縁の右柱１（構造軸材）に届くビスＶにより取付固定されているので、それらの丁番１０，１４は既存ドア枠５に影響されることなく安定して右柱１に取り付けられ、新規ドア８の支持構造は強固となる。そのため、ドア８の安定した開閉動作を長期間に亘って維持することができ、その信頼性を高めることができる。しかも、丁番１０，１４は右柱１にビスＶによって直接的に取付固定されるので、その取付位置が既存ドア枠５等により制限されることはない。
【００４４】
また、開口部Ｏの戸先側周縁部に位置する既存ドア枠５の左縦枠５ａ前側に戸当たり用縦枠２５が取り付けられ、その縦枠２５に新規ドア８の戸先側のラッチ２３に係合するラッチ受け２６が設けられているので、新規ドア８を閉じ状態に保持するためのラッチ受け２６を容易に設けることができる。
【００４５】
さらに、この実施形態の場合、ラッチ機構のラッチ２３が新規ドア８の戸先側木口面においてではなく、その後面に突出するボックス部１９において出没するように設けられているので、そのラッチ機構のボックス部１９やラッチ２３を新規ドア８の外に配置した分だけ新規ドア８の厚さを薄くすることができる。尚、ボックス部１９は新規ドア８の後面ではなくて前面に突出するようにして、その前面の左側面に対しラッチ２３を出没させるようにしてもよい。
【００４６】
（実施形態２）
図５は本発明の実施形態２を示し（尚、以下の各実施形態では、図１〜図４と同じ部分については同じ符号を付してその詳細な説明は省略する）、閉じ状態にある新規ドア８と既存ドア枠５との間に隙間が生じないようにしたものである。
【００４７】
すなわち、この実施形態では、実施形態１とは異なり、ラッチ２３は、新規ドア８の戸先端部の木口面に対し出没可能に支持されている。また、既存ドア枠５の左縦枠５ａの前面に戸当たり用縦枠２５が固定されておらず、その既存ドア枠５よりも外側（左側）に位置する左柱１に対し前側から縦枠２７がプラスターボード２を貫通するビス（図示せず）により固定され、この縦枠２７の右側面にラッチ受け２６が形成されている。
【００４８】
また、既存ドア枠５の左右の縦枠５ａ，５ａ及び横枠の各前面にはモヘアシールやゴムバッキン等からなる隙間埋め部材２８が一体的に取付固定されており、新規ドア８が閉じ状態にあるときに、その新規ドア８と既存ドア枠５との間の隙間を隙間埋め部材２８によって閉塞するようにしている。その他の構成は実施形態１と同様である。
【００４９】
したがって、この実施形態でも実施形態１と同様の作用効果が得られる。また、この実施形態の場合、閉じ状態にある新規ドア８と既存ドア枠５との間の隙間が隙間埋め部材２８によって閉塞されるので、新規ドア８を閉じたときに既存ドア枠５との間に隙間が生じることがなく、ドア装置Ａの密閉感や外観見映えを高めることができる。
【００５０】
（実施形態３）
図６は実施形態３を示し、既存ドア枠５を隠蔽するようにしたものである。この実施形態では、上記実施形態１（図２参照）において、既存ドア枠５の左右の縦枠５ａ，５ａ及び横枠は、その露出部分が隠しカバー３１によって覆われ、この隠しカバー３１は既存ドア枠５に接着等により固定されている。隠しカバー３１は前後２つの分割カバー部材３２，３３に分割され、前側分割カバー部材３２は、縦枠５ａないし横枠において、外面前側のうちの壁部から突出した部分と、前面全体と、内面のうちの前半部とを覆うように断面略Ｌ字状の板材からなる。一方、後側分割カバー部材３３は、前側分割カバー部材３２と同様に、縦枠５ａないし横枠において、外面後側のうちの壁部から突出した部分と、後面全体と、内面のうちの後半部とを覆うように断面略Ｌ字状の板材からなる。尚、戸当たり用縦枠２５は前側分割カバー部材３２の上から既存ドア枠５の左縦枠５ａにビス止めされている。その他は実施形態１と同様の構成である。
【００５１】
したがって、この実施形態でも実施形態１と同様の作用効果が得られる。また、既存ドア枠５が隠しカバー３１で覆われているので、その既存ドア枠５にキズや汚れ等があっても、それらは隠しカバー３１により隠蔽され、リフォームによって美麗な外観のドア装置Ａを得ることができる利点がある。
【００５２】
（実施形態４）
図７は実施形態４を示し、既存ドア枠５を隠蔽する隠しカバー３１にラッチ受け２６を設けたものである。
【００５３】
すなわち、この実施形態では、既存ドア枠５は実施形態１〜３のものとは異なっていてそれよりも薄肉で小さい幅の板材からなり、その幅（前後方向の寸法）は開口部Ｏ周りの壁部の厚さ（柱１の前後幅に前後のプラスターボード２，２の厚さを加えた寸法）と同じで、幅方向の両端部である前後端部は壁部（プラスターボード２，２）の表面と面一となっている。
【００５４】
隠しカバー３１の前側分割カバー部材３２は、縦枠５ａないし横枠において、前面全体と、内面のうちの前半部とを覆うように断面略Ｌ字状の板材からなり、既存ドア枠５外側のプラスターボード２の端部をも部分的に覆うようになっている。一方、後側分割カバー部材３３は、前側分割カバー部材３２と同様に、縦枠５ａないし横枠において、後面全体と、内面のうちの後半部とを覆うように断面略Ｌ字状の板材からなり、既存ドア枠５外側のプラスターボード２の端部をも部分的に覆うようになっている。
【００５５】
そして、前側分割カバー部材３２のうち、戸先側の左縦枠５ａを覆っている上下方向に延びる前部は他の部分よりも厚肉で、実施形態１の戸当たり用縦枠２５と同等の厚さとされ、その厚肉部分の右側面にラッチ受け２６が形成されている。その他の構成は実施形態１と同様である。
【００５６】
この実施形態においても実施形態３と同様の作用効果を奏することができる。特に、既存ドア枠５を覆う隠しカバー３１の一部を部分的に厚くして、その部分にラッチ受け２６を設けているので、ラッチ受け２６を形成する部材を隠蔽用の隠しカバー３１と兼用することができ、部材の数を低減することができる。
【００５７】
（実施形態５）
図８は実施形態５を示し、閉じ状態にある新規ドア８と既存ドア枠５との隙間をなくすようにしたものである。
【００５８】
すなわち、この実施形態では、上記実施形態４（図７参照）の構成において、上下の丁番１０，１４の軸部１２ａ，１６ａによる回動軸心の位置は実施形態１〜４とは異なり、右柱１に近い位置となっており、新規ドア８が閉じたときに、その吊元端部の後面が既存ドア枠５の右縦枠５ａ前面の前側分割カバー部材３２に当接して、新規ドア８と既存ドア枠５との隙間が生じないようになっている。
【００５９】
一方、実施形態４とは異なり、前側分割カバー部材３２のうち、戸先側の左縦枠５ａを覆っている上下方向に延びる前部は他の部分と同じ厚さであり（厚肉部分がない）、ラッチ受け２６は形成されていない。その代わり、実施形態２（図５参照）と同様に、既存ドア枠５の左縦枠５ａよりも外側（左側）に位置する左柱１に対し前側から縦枠２７がプラスターボード２を介してビス止めにより固定され、この縦枠２７の右側面にラッチ受け２６が形成され、このラッチ受け２６は、実施形態２と同様に新規ドア８の戸先端部の木口面に対し出没するラッチ２３に係合するようになっている。他の構成は実施形態４と同様である。
【００６０】
したがって、この実施形態でも実施形態２と同様の作用効果が得られる。また、新規ドア８と既存ドア枠５との間の隙間を埋める部材を隠蔽用の隠しカバー３１と兼用することができ、部材の数を低減することができる。
【００６１】
（その他の実施形態）
尚、上記各実施形態では、新規ドア８の吊元端部を開口部Ｏ周縁の右柱１にビスＶにより固定し、ドア８の戸先端部に位置するラッチ２３に係合するラッチ受け２６を開口部Ｏ周縁の左側に設けているが、逆に、新規ドア８の吊元端部を開口部Ｏ周縁の左柱１にビスＶにより固定し、ラッチ受け２６を開口部Ｏ周縁の右側に設けてもよいのは勿論である。
【００６２】
また、上記各実施形態では、丁番１０，１４としてピボット丁番を用いているが、他の種類を用いることもできる。また、丁番１０，１４の数は２つに限定されない。
【産業上の利用可能性】
【００６３】
本発明は、建物の開口部を開閉する揺動型ドア装置をリフォームして既存ドアを新規ドアに取り換える場合に、大掛かりな工事を不要としてリフォーム工期の短縮化や費用の低減を図り、ドアの安定した開閉動作を長期間に亘って維持できるので、極めて有用である。
【符号の説明】
【００６４】
Ａ  揺動型ドア装置
Ｓ１  前側空間
Ｓ２  後側空間
Ｏ  開口部
Ｖ  ビス
１  柱（構造軸材）
５  既存ドア枠
５ａ，５ａ  縦枠
８  新規ドア
１０  上部丁番
１１  固定部材
１２  回動部材
１４  下部丁番
１５  固定部材
１６  回動部材
２０  操作軸
２１  操作ハンドル
２３  ラッチ
２５  戸当たり用縦枠
２６  ラッチ受け
２７  縦枠
２８  隙間埋め部材
３１  隠しカバー
【図１】
2016003543.tif 000003
【図２】
2016003543.tif 000004
【図３】
2016003543.tif 000005
【図４】
2016003543.tif 000006
【図５】
2016003543.tif 000007
【図６】
2016003543.tif 000008
【図７】
2016003543.tif 000009
【図８】
2016003543.tif 000010